(57)【要約】【課題】通水バルブ本体に配置された、流量調節バルブとフィルターの位置関係を最適化し、通水バルブ本体をコンパクトにする事が出来、フィルターを掃除する際に、フィルターの内側に付着し溜まった給水管内の異物を確実に除去する事が出来る便器洗浄装置を提供する。【解決手段】給水管に接続された通水バルブ本体に、給水管から供給された水が流量調節バルブ、フィルター、開閉弁の順序で通過するように配置され、開閉弁を開閉することにより便器を洗浄する便器洗浄装置において、流量調節バルブとフィルターとを同軸上で、しかもに上下方向に配置した。【選択図】  図１
2004278116.tif 000002
【特許請求の範囲】
【請求項１】
給水管に接続された通水バルブ本体に、給水管から供給された水が流量調節バルブ、フィルター、開閉弁の順序で通過するように配置され、開閉弁を開閉することにより便器を洗浄する便器洗浄装置において、流量調節バルブとフィルターとを同軸上で、しかもに上下方向に配置した事を特徴とした便器洗浄装置。
【請求項２】
前記便器洗浄装置において、流量調節バルブを通過した水がフィルターの内側から外側に向けて通過する事を特徴とした請求項１に記載の便器洗浄装置。
【請求項３】
給水管に接続された通水バルブ本体に、給水管から供給された水が流量調節バルブ、フィルター、開閉弁の順序で通過するように配置され、開閉弁を開閉することにより便器を洗浄する便器洗浄装置において、該流量調節バルブと前記フィルターが上下方向に配置され、前記流量調節バルブを通過した水が、前記フィルターの内側から外側に向けて通過するようにするとし、さらに下方向から前記フィルターを取付けできるように、該フィルタを蓋で覆う事を特徴とした便器洗浄装置。
【請求項４】
前記便器洗浄装置において、通水バルブ本体を赤外線センサーを取付けたカバーで覆い、赤外線センサーにて人体を感知し電磁開閉弁を開閉する事を特徴とした請求項１に記載の便器洗浄装置。
【発明の詳細な説明】
【０００１】
【発明の属する技術分野】
本発明は、便器を洗浄する通水バルブを備えた便器洗浄装置に関する。
【０００２】
【従来の技術】
従来技術を図３を用いて説明する。
給水管２１に接続された通水バルブ本体２２に、給水管２１から供給された水が流量調節バルブ２３、フィルター２４、電磁開閉弁２５の順序で通過するように配置され、通水バルブ２３を赤外線センサーを取付けたカバーで前面から覆い、赤外線センサーで人体を感知し、電磁開閉弁２５を開閉させ便器を洗浄する機構になっており、流量調節バルブ２３と上面から蓋２６で覆われた円筒状のフィルター２４が左右に並列に配置され、給水された水が円筒状のフィルター２４の外側がから内側に向けて通過する通水経路になっている。
【０００３】
【非特許文献１】
ＴＯＴＯ総合カタログ、２００２年５月１日発行Ｐ２２５、Ｐ２２６
【０００４】
【発明が解決しようとする課題】
しかしながら、従来技術は、流量調節バルブ２３とフィルター２４が並列にならんでおり、通水バルブ本体２２の形状が非常に大きくなる為、便器洗浄装置自体が大きいものになっていた。
又、円筒状のフィルター２４が上面から取付けられ、水が、円筒状のフィルター２４の外側から内側を通る通水経路なっている為、メンテナンスで、フィルターの掃除をする際に、円筒状のフィルター２４を覆っている蓋２６を外し、円筒状のフィルター２４を通水バルブ本体２２から取出す作業中に、円筒状のフィルター２４の外側に付着した、給水管２１内の異物が脱落し通水バルブ本体２２内に残ったままの状態になり、電磁開閉弁２５の止水不良や、便器内に異物が流出する恐れがあった。
【０００５】
そこで、本発明では上記の問題点を解決するため、通水バルブ本体に配置された、流量調節バルブとフィルターの位置関係を最適化し、通水バルブ本体をコンパクトにする事が出来、フィルターを掃除する際に、フィルターの内側に付着し溜まった給水管内の異物を確実に除去する事が出来る便器洗浄装置を提供することを目的とする。
【０００６】
【課題を解決するための手段】
本発明の請求項１では、給水管に接続された通水バルブ本体に、給水管から供給された水が流量調節バルブ、フィルター、開閉弁の順序で通過するように配置され、開閉弁を開閉することにより便器を洗浄する便器洗浄装置において、流量調節バルブとフィルターとを同軸上で、しかもに上下方向に配置した便器洗浄装置とした。
【０００７】
これにより、通水バルブ本体の流量調節バルブとフィルターが上下方向で、しかも同軸上に配置する事で、流量調節バルブと、フィルターの位置関係を最適化する事かできる、即ち、通水バルブ本体の全長を短くする事ができる為、通水バルブ本体がコンパクトになり、従来技術では設置する事が出来なかった、小スペースの施工場所にも容易に施工する事ができるようになる。
【０００８】
請求項２では、前記便器洗浄装置において、流量調節バルブを通過した水がフィルターの内側から外側に向けて通過する事を特徴とした請求項１に記載の便器洗浄装置とした。
【０００９】
これにより、流量調節バルブを通過した水が流量調節バルブと上下方向で同軸上に配置されたフィルターの内側から外側に向けて通水する通水経路にすることで、給水管内の異物が、全てフィルターの内側に付着し、フィルターの掃除で通水バルブ本体からフィルターを取外す際に、フィルターに付着した給水管内の異物が通水バルブ本体内に脱落する事を防ぐ事ができ、異物の残留が原因となって発生する、開閉弁の止水不良や、便器内に異物が流出する事を未然に防ぐ事ができる。
【００１０】
請求項３では、給水管に接続された通水バルブ本体に、給水管から供給された水が流量調節バルブ、フィルター、開閉弁の順序で通過するように配置され、開閉弁を開閉することにより便器を洗浄する便器洗浄装置において、該流量調節バルブと前記フィルターが上下方向に配置され、前記流量調節バルブを通過した水が、前記フィルターの内側から外側に向けて通過するようにするとし、さらに下方向から前記フィルターを取付けできるように、該フィルタを蓋で覆う事を特徴とした便器洗浄装置とした。
【００１１】
このように、通水バルブの流量調節バルブとフィルターが上下方向に配置され、流量調節バルブを通過した水がフィルターの内側から外側に向けて通過するような通水経路で通水バルブ本体の下方向からフィルターを取付けて蓋で覆う事で、フィルターの掃除の際に、フィルターの内側に付着し溜まった給水管内の異物をフィルターと蓋で受け、給水管内の異物を収めるたままの状態で取外す事が出来る。
又、通水バルブの下方向からフィルターを取付け蓋で覆っている為、蓋を開ける事で通水バルブ本体の下側が開放され、通水バルブ本体内の残留水が全て排出され、更に効率的な通水バルブ本体内の掃除が出来、電磁開閉弁を用いた便器洗浄装置においては、電磁開閉弁のダイヤフラム、及び小穴の詰まりを防ぐ事になり、最大の効果を発揮する。
【００１２】
請求項４では、前記便器洗浄装置において、通水バルブ本体を赤外線センサーを取付けたカバーで覆い、赤外線センサーにて人体を感知し電磁開閉弁を開閉する事を特徴とした請求項１に記載の便器洗浄装置とした。
【００１３】
これにより、通水バルブ本体をカバーで覆う事で、意匠性が向上する事は言うまなく、更に、手動式の便器洗浄装置は通水バルブ本体に配置された開閉弁を、押しボタン又は、レバー等を用いて、開閉弁を開閉させなければ便器洗浄しなかったが、通水バルブ本体を覆うカバーに赤外線センサーを取付け、人体を感知させて電磁開閉弁を開閉させる事で、手動式の便器洗浄装置で用いられた、押しボタン又は、レバー等は不必要になり、非常にコンパクトで意匠性も向上した便器洗浄装置にする事が出来る。
【００１４】
【発明の実施の形態】
図１を用いて、本発明の便器洗浄装置の第１の実施の形態を具体的に説明する。
電磁開閉弁を用いた便器洗浄装置を例にあげて説明する。
給水管１に接続された、通水バルブ本体２内に流量調節バルブ３、フィルター４、電磁開閉弁５を有し、給水管１から給水された水が、流量調節バルブ３、フィルター４を、電磁開閉弁５の順序で通過するように配置する。
流量調節バルブ３は円筒形状で、通水バルブ本体２とのシールにはＯリング６を使用し、通水バルブ本体２に雌ネジ加工、流量調節バルブ３に雄ネジ加工したスピンドル式で流量調節バルブ３を回転させ上下させる事で給水管１からの流量を調節する構造にする。
流量調節は、ゴムパッキンを取付けたコマを配置し、逆流防止構造を有した流量調節バルブにしても良い。
円筒形状の流量調節バルブ３と、上下方向で同軸上に、円筒形状のフィルター４を配置し、通水経路としては、円筒形状のフィルター４の内側がら外側に向けて水が流れる通水経路にし、円筒形状のフィルター４は通水バルブ本体２の下面から、通水バルブ本体２に挿入して、ネジ加工をした蓋７で覆い、蓋７はＯリング１０で止水する。
円筒状のフィルター４を掃除する事を考慮して、蓋７には工具が掛かるような切込みを明け、通水バルブ本体２の下面からでも、工具を使用すれば蓋７が容易に明けられるような構造にする。
円筒状のフィルター４を通過した水は、壁に取付けたスイッチ１１で電磁開閉弁５を開閉させる回路にして、スイッチ１１を押す事で電磁開閉弁５を開閉し水を送り通水バルブ本体２と便器８を接続した通水管９を通り、便器８に流れ、便器８を洗浄する構成にする。
【００１５】
以上の様に、流量調節バルブ３と、円筒状のフィルター４を上下方向で同軸上に配置し、円筒状のフィルター４を通水バルブ本体２の下方から取付ける事で、流量調節バルブ３と円筒状のフィルター４の位置関係が最適になり、通水バルブ本体２をコンパクトな設計しする事ができ、又、円筒状のフィルター４の内側がら外側に向けて通水し、通水バルブ本体２の下側から蓋７で覆う事で、円筒状のフィルター４で止まっている異物を効率的に除去できる。
即ち、通水バルブ本体２内の異物による電磁開閉弁５の止水不良、作動不良を未然に防ぐ事が出来る。
【００１６】
図２を用いて、本発明の便器洗浄装置の第２の実施の形態を具体的に説明する。
乾電池を電源に用いた便器洗浄装置を例にあげて説明する。
通水バルブ本体２内の構成は、図３で説明したものと同じ構成で給水管１に接続し、通水バルブ本体２に配置された電磁開閉弁５を前カバー１２と後カバー１３の２パーツで構成されたカバーで通水バルブ本体２を前後から覆う。
カバーの固定方法としては、後カバー１３を通水バルブ本体２に固定ネジ１４で取付け固定し、後カバー１３の下方に六角ナット１５を挿入し、前カバー１２の外周と後カバー１３の外周を嵌合させて前カバー１２と後カバー１３を固定ネジ１６で固定する。
前カバー１２に、赤外線センサーを内蔵したコントローラ１７を取付け、後カバー１３に乾電池ケース１８を取付け固定する。
前カバー１２に取付けれた赤外線センサー内蔵コントローラ１７は、便器８の前の人体感知を良好にする為、取付け台２０を用いて下方向に傾ける。
後カバー１３に取付けられた乾電池ケース１８は、コンデンサ１９を介して、前カバー１２に取付けられた赤外線センサー内蔵コントローラ１７に接続する。
赤外線センサー内蔵コントローラ１７で人体を感知し、電気信号を電磁開閉弁５に送り電磁開閉弁を開閉させ便器８を洗浄する構成にする。
【００１７】
以上の様に、通水バルブ本体２を前後からカバーで覆う事で、意匠性が向上することは言うまでもなく、赤外線内蔵コントローラ１７を前カバー１２に配置し、人体を感知させて便器８を洗浄するシステムにする事で、押しボタンスイッチ又は、手動レバー等を設置する必要ななくなり、更にコンパクトでスタイリッシュな外観にする事ができる。
【００１８】
【発明の効果】
本発明の効果としては、流量調節バルブと、フィルターの位置を上下方向で同軸上に配置する事により、通水バルブ本体の設計がコンパクトなり、又、フィルターのメンテナンスが効率良く出来るようになり、通水バルブ本体内への異物残留が原因で発生する、開閉弁の止水不良、作動不良を未然に防ぐ事ができるようになる。
【００１９】
【図面の簡単な説明】
【図１】本件発明の一実施の形態である便器洗浄装置を示す。
【図２】本件発明における別の一実施の形態である便器洗浄装置を示す。
【図３】従来技術の形態を示す。
【符号の説明】
１  給水管
２  通水バルブ本体
３  流量調節バルブ
４  フィルター
５  電磁開閉弁
６  Ｏリング
７  蓋
８  便器
９  通水管
１０  Ｏリング
１１  スイッチ
１２  前カバー
１３  後カバー
１４  固定ネジ
１５  六角ナット
１６  固定ネジ
１７  赤外線センサー内蔵コントローラ
１８  乾電池ケース
１９  コンデンサ
２０  取付け台
２１  給水管
２２  通水バルブ本体
２３  流量調節バルブ
２４  フィルター
２５  電磁開閉弁
２６  蓋
【図１】
2004278116.tif 000003
【図２】
2004278116.tif 000004
【図３】
2004278116.tif 000005